(57)【要約】【課題】隣接する素線において一方の素線が他方の素線に乗り上げるといった不具合を解消することが可能なガイドワイヤを提供する。【解決手段】ガイドワイヤ１０は、シャフト１２と、シャフト１２の先端部に巻回されてなる外側コイル体２０と、その外側コイル体２０の内側に設けられている内側コイル体４０とを備える。外側コイル体２０は、複数の素線２１を撚り合わせた撚線２２が螺旋状に複数本巻回されてなり、その外側コイル体２０の巻き方向と内側コイル体４０の巻き方向とは逆方向をなす。【選択図】図３
2015208362.tif 000002
【特許請求の範囲】
【請求項１】
シャフトと、シャフトの先端部に巻回されてなる外側コイル体と、その外側コイル体の内側に設けられている内側コイル体と、を備えるガイドワイヤであって、
前記外側コイル体は、複数の素線を撚り合わせた撚線が螺旋状に複数本巻回されてなり、
その外側コイル体の巻き方向と前記内側コイル体の巻き方向とは逆方向をなすことを特徴とするガイドワイヤ。
【請求項２】
請求項１に記載のガイドワイヤであって、
前記内側コイル体は、複数の素線を撚り合わせた撚線からなることを特徴とするガイドワイヤ。
【請求項３】
請求項２に記載のガイドワイヤであって、
前記内側コイル体は、前記撚線を螺旋状に複数本巻回してなることを特徴とするガイドワイヤ。
【発明の詳細な説明】
【技術分野】
【０００１】
本発明は、治療や検査を目的として体腔内に挿入される医療器具として用いられるガイドワイヤに関する。
【背景技術】
【０００２】
従来、治療や検査のために、血管、消化管、尿管等の管状器官や体内組織に挿入して使用されるカテーテル等を案内するガイドワイヤとして、様々なものが提案されている。
【０００３】
例えば、先行文献１には、芯線と、芯線の先端部に配置されている外側コイルと、その外側コイルの内側に配置されている内側コイルとを備えているガイドワイヤが開示されている。
【先行技術文献】
【特許文献】
【０００４】
【特許文献１】特開平８−３１７９８９号公報
【発明の概要】
【発明が解決しようとする課題】
【０００５】
通常、上述した特許文献１に示すガイドワイヤにおいて、例えば、外側コイル体が締まる方向に回転操作を加えた場合、素線同士が締め付けられることで接触圧が増大し、これに伴って外側コイル体は縮径するように内方へと変形する。そして、そうした変形が過剰な場合には、隣接する素線において一方の素線が他方の素線に乗り上げるといった不具合が生じる可能性がある。
また、例えば、病変部が硬かったり、病変部の狭窄の度合いが大きかったり、あるいは病変部が閉塞していたりする場合において、これらの病変部の内奥へとガイドワイヤを挿入する際には、充分なトルク伝達性が求められる。こうした要求を満たすため、複数の素線を撚り合わせた撚線が螺旋状に複数本巻回されてなるコイル体を用いることが考えられる。
しかしながら、こうしたコイル体は、締まる方向に回転操作が加えられた際、素線同士が締め付けられると同時に撚線同士も互いに強固に締め付けられることで接触圧がより一層増大することとなり、これに伴ってコイル体の内方への過剰な変形が生じる可能性がある。その結果、上述したような、隣接する素線における一方の素線の乗り上げが起こりやすくなる。すなわち、このような、隣接する素線において一方の素線が他方の素線に乗り上げるといった不具合を解消するといった点に関しては、依然として改善の余地があった。
【０００６】
本発明は、このような事情に鑑みてなされたものであり、隣接する素線において一方の素線が他方の素線に乗り上げるといった不具合を解消することが可能なガイドワイヤを提供することを課題とする。
【課題を解決するための手段】
【０００７】
上記課題を解決するために、本発明の一態様に係るガイドワイヤは、以下のような特徴を有する。
【０００８】
本発明の態様１に係るガイドワイヤは、シャフトと、シャフトの先端部に巻回されてなる外側コイル体と、その外側コイル体の内側に設けられている内側コイル体とを備えるガイドワイヤであって、外側コイル体は、複数の素線を撚り合わせた撚線が螺旋状に複数本巻回されてなり、その外側コイル体の巻き方向と内側コイル体の巻き方向とは逆方向をなすことを特徴とする。
【０００９】
本発明の態様２は、態様１に記載のガイドワイヤであって、内側コイル体は、複数の素線を撚り合わせた撚線からなることを特徴とする。
【００１０】
本発明の態様３は、態様２に記載のガイドワイヤであって、内側コイル体は、撚線を螺旋状に複数本巻回してなることを特徴とする。
【発明の効果】
【００１１】
態様１における外側コイル体は、複数の素線を撚り合わせた撚線が螺旋状に複数本巻回されてなり、その外側コイル体の巻き方向と内側コイル体の巻き方向とは逆方向をなす。
【００１２】
通常、このような外側コイル体が締まる方向に回転操作を加えた場合、素線同士が締め付けられると同時に撚線同士も互いに締め付けられることで接触圧が増大し、これに伴って外側コイル体は縮径するように内方へと変形する。そして、そうした変形が過剰な場合には、隣接する素線（撚線）において一方の素線（撚線）が他方の素線（撚線）に乗り上げるといった不具合が生じる。
【００１３】
しかしながら、本態様においては、外側コイル体の巻き方向と内側コイル体の巻き方向とが逆方向をなすため、外側コイル体が締め付けられて縮径するように内方へと変形する際には、内側コイル体は素線同士の密着が緩められて外径が拡げられる。その結果、双方のコイル体同士が干渉することにより、外側コイル体の内方への過剰な変形が抑制され、上述したような、隣接する素線（撚線）において一方の素線（撚線）が他方の素線（撚線）に乗り上げるといった不具合を回避することが可能となる。
【００１４】
態様２のガイドワイヤにおける内側コイル体は、複数の素線を撚り合わせた撚線からなる。このようなコイル体は、素線間で相対的に微小な移動が可能であり、自由度があって柔軟性が高いことから、所定方向への回転操作が加えられた際には素線同士が緩み易く、これに伴って外径が拡げられるようになり、拡径の幅が増大する。
【００１５】
すなわち、仮に、外側コイル体が締め付けられて縮径するように内方へと変形する際には、内側コイル体の外径が拡げられやすい。その結果、双方のコイル体同士が干渉しやすくなることにより、外側コイル体の内方への過剰な変形が効果的に抑制され、上述したような、隣接する素線（撚線）において一方の素線（撚線）が他方の素線（撚線）に乗り上げるといった不具合を確実に回避することが可能となる。
【００１６】
態様３のガイドワイヤにおける内側コイル体は、撚線を螺旋状に複数本巻回してなるものである。同コイル体は、撚線間に加えて、その撚線を形成する素線間においても相対的に微小な移動が可能であるため、上述した態様２の内側コイル体と比較して自由度があって柔軟性が一層高められている。このような内側コイル体は、所定方向への回転操作が加えられた際にはより一層緩み易く、それに伴って外径が容易に拡げられるようになり、拡径の幅がより一層増大することとなる。
【００１７】
すなわち、仮に、外側コイル体が締め付けられて縮径するように内方へと変形する際には、上述した態様２の内側コイル体と比較して内側コイル体の外径が大幅に拡げられるようになる。その結果、双方のコイル体同士がより確実に干渉することにより、外側コイル体の内方への過剰な変形が抑制され、上述したような、隣接する素線（撚線）において一方の素線（撚線）が他方の素線（撚線）に乗り上げるといった不具合をより確実に回避することが可能となる。
【図面の簡単な説明】
【００１８】
【図１】図１は、本発明の第１実施形態に係るガイドワイヤを示す部分断面拡大図である。
【図２】図２は、図１におけるＡ−Ａ断面図である。
【図３】図３は、本発明の第１実施形態に係るガイドワイヤを示す破断側面図である。
【図４】図４は、本発明の第２実施形態に係るガイドワイヤを示す部分断面拡大図である。
【図５】図５は、本発明の第２実施形態に係る内側コイル体を示す斜視図である。
【図６】図６は、図４におけるＢ−Ｂ断面図である。
【図７】図７は、本発明の第３実施形態に係るガイドワイヤを示す部分断面拡大図である。
【図８】図８は、図７におけるＣ−Ｃ断面図である。
【発明を実施するための形態】
【００１９】
まず、本発明のガイドワイヤを図面に示す実施形態に基づいて説明する。
[第１実施形態]
図１は、本発明のガイドワイヤの第１実施形態を示す部分断面拡大図である。図１において、左側が体内に挿入される先端側であり、右側が医師等の手技者によって操作される基端側である。なお、本図は、ガイドワイヤを模式的に図示したものであり、撚線から形成されてなるコイル体の断面形状を含め、実際の寸法比とは異なるものとする。
【００２０】
図１に示すガイドワイヤ１０は、例えば、Cross Over法による下肢血管の治療に使用されるものである。ガイドワイヤ１０は、シャフト１２と、シャフト１２の先端部外周を覆う外側コイル体２０とを備えている。
【００２１】
まず、シャフト１２について説明する。シャフト１２は、先端から基端側に向かって順に、細径部１２ａ、テーパ部１２ｂ及び太径部１２ｃを有している。細径部１２ａは、シャフト１２の最も先端側の部分であり、シャフト１２の中で最も柔軟な部分である。この細径部１２ａは、プレス加工により平板状に形成されている。テーパ部１２ｂは、断面が円形のテーパ形状をなしており、先端側に向けて縮径している。太径部１２ｃは、細径部１２ａよりも大きな径を有している。
【００２２】
シャフト１２を形成する材料としては、特に限定されるものではないが、例えば、ステンレス鋼（ＳＵＳ３０４）、Ｎｉ−Ｔｉ合金等の超弾性合金、ピアノ線、コバルト系合金等を使用することができる。
【００２３】
次に、外側コイル体２０について説明する。図１及び図２に示すように、本実施形態の外側コイル体２０は、複数の素線２１を撚り合わせた撚線２２が螺旋状に複数本（本実施形態においては８本）巻回されてなる。図２に示すように、この撚線２２は、芯線２２ａと芯線２２ａの外周を覆うように巻回されてなる６本の側線２２ｂとから構成されている。また、本実施形態においては、図３に示すように、外側コイル体２０の巻き方向は、図面上右に向かって時計回り方向となっている。
【００２４】
なお、芯線２２ａ及び側線２２ｂを形成する材料としては、特に限定されるものではなく、例えばマルテンサイト系ステンレス、フェライト系ステンレス、オーステナイト系ステンレス、オーステナイト、フェライト二相ステンレス又は析出硬化ステンレス等のステンレス、Ｎｉ−Ｔｉ合金等の超弾性合金、Ｘ線不透過性金属である白金、金、タングステン、タンタル、イリジウム又はこれらの合金等が挙げられる。
【００２５】
外側コイル体２０の先端は、先端接合部３１によりシャフト１２の先端に固着されている。一方、外側コイル体２０の基端は、基端接合部３３によりシャフト１２に固着されている。先端側接合部３１及び基端側接合部３３を形成する材料としては特に限定されないが、例えば、Ｓｎ−Ｐｂ合金、Ｐｂ−Ａｇ合金、Ｓｎ−Ａｇ合金、Ａｕ−Ｓｎ合金等の金属ロウが挙げられる。
【００２６】
本実施形態のガイドワイヤ１０においては、外側コイル体２０の内側には内側コイル体４０が設けられている。本実施形態における内側コイル体４０は、素線４１が螺旋状に巻回されてなる単条コイルである。
【００２７】
内側コイル体４０を形成する材料は、特に限定されるものでは無いが、放射線不透過性の素線、又は放射線透過性の素線を用いることができる。放射線不透過性の素線の材料としては、特に限定されるものではないが、例えば、金、白金、タングステン、又はこれらの元素を含む合金（例えば、白金−ニッケル合金）等を使用することができる。また、放射線透過性の素線の材料としては、特に限定されるものではないが、例えば、ステンレス鋼（ＳＵＳ３０４やＳＵＳ３１６等）、Ｎｉ−Ｔｉ合金等の超弾性合金、ピアノ線等を使用することができる。
【００２８】
内側コイル体４０の先端は先端接合部３１によりシャフト１２の先端に接合されている。一方、内側コイル体４０の基端は、基端接合部３５によりシャフト１２に接合されている。この基端側接合部３５を形成する材料としては特に限定されないが、例えば、Ｓｎ−Ｐｂ合金、Ｐｂ−Ａｇ合金、Ｓｎ−Ａｇ合金、Ａｕ−Ｓｎ合金等の金属ロウが挙げられる。
【００２９】
図３に示すように、内側コイル体４０の巻き方向は、図面上右に向かって反時計回り方向となっている。すなわち、外側コイル体２０の巻き方向と内側コイル体４０の巻き方向とは逆方向をなす。
【００３０】
通常、このような外側コイル体２０が締まる方向に回転操作を加えた場合、素線２１同士が締め付けられると同時に撚線２２同士も互いに締め付けられることで接触圧が増大し、これに伴って外側コイル体２０は縮径するように内方へと変形する。そして、そうした変形が過剰な場合には、隣接する素線２１（撚線２２）において一方の素線２１（撚線２２）が他方の素線２１（撚線２２）に乗り上げるといった不具合が生じ可能性がある。
【００３１】
しかしながら、本発明においては、外側コイル体２０の巻き方向と内側コイル体４０の巻き方向とが逆方向をなすため、外側コイル体２０が締め付けられて縮径するように内方へと変形する際には、内側コイル体４０は素線４１同士の密着が緩められて外径が拡げられる。その結果、双方のコイル体２０，４０同士が干渉することにより、外側コイル体２０の内方への過剰な変形が抑制され、上述したような、隣接する素線２１（撚線２２）において一方の素線２１（撚線２２）が他方の素線２１（撚線２２）に乗り上げるといった不具合を回避することが可能となる。
【００３２】
[第２実施形態]
図４は、本発明のガイドワイヤの第２実施形態を示す部分断面拡大図である。図４において、左側が体内に挿入される先端側であり、右側が医師等の手技者によって操作される基端側である。なお、本図は、ガイドワイヤを模式的に図示したものであり、撚線から形成されてなるコイル体の断面形状を含め、実際の寸法比とは異なるものとする。
【００３３】
上述した第１実施形態においては、素線が螺旋状に巻回されてなる単条の内側コイル体４０を採用した。これに対し、本実施形態のガイドワイヤ１００においては、図５及び図６に示すように、複数（本実施形態では１０本）の素線１４１を撚り合わせた撚線からなる中空状の内側コイル体１４０を用いる。
【００３４】
このような内側コイル体１４０は、素線１４１間で相対的に微小な移動が可能であり、自由度があって柔軟性が高いことから、所定方向への回転操作が加えられた際には素線１４１同士が緩み易く、これに伴って外径が拡げられるようになり、拡径の幅が増大する。
【００３５】
すなわち、仮に、外側コイル体２０が締め付けられて縮径するように内方へと変形する際には、上述した第１実施形態の内側コイル体と比較して内側コイル体１４０の外径が拡げられやすい。その結果、双方のコイル体２０，１４０同士が干渉しやすくなることにより、外側コイル体２０の内方への過剰な変形が効果的に抑制され、上述したような、隣接する素線２１（撚線２２）において一方の素線２１（撚線２２）が他方の素線２１（撚線２２）に乗り上げるといった不具合を確実に回避することが可能となる。
【００３６】
[第３実施形態]
図７は、本発明のガイドワイヤの第３実施形態を示す部分断面拡大図である。図７において、左側が体内に挿入される先端側であり、右側が医師等の手技者によって操作される基端側である。なお、本図は、ガイドワイヤを模式的に図示したものであり、撚線から形成されてなるコイル体の断面形状を含め、実際の寸法比とは異なるものとする。
【００３７】
図７及び図８に示すように、本実施形態のガイドワイヤ２００における内側コイル体２４０は、複数の素線２４１を撚り合わせた撚線２４２を螺旋状に複数本（本実施形態では８本）巻回してなる。より詳しくは、図８に示すように、内側コイル体２４０は、芯線２４２ａと芯線２４２ａの外周を覆うように巻回されてなる６本の側線２４２ｂとから構成される撚線２４２が螺旋状に８本巻回されてなる。
【００３８】
なお、内側コイル体２４０における芯線２４２ａ及び側線２４２ｂを形成する材料としては、特に限定されるものではなく、例えばマルテンサイト系ステンレス、フェライト系ステンレス、オーステナイト系ステンレス、オーステナイト、フェライト二相ステンレス又は析出硬化ステンレス等のステンレス、Ｎｉ−Ｔｉ合金等の超弾性合金、Ｘ線不透過性金属である白金、金、タングステン、タンタル、イリジウム又はこれらの合金等が挙げられる。
【００３９】
このような構成を有する内側コイル体２４０は、撚線２４２間に加えて、その撚線２４２を形成する素線２４１間においても相対的に微小な移動が可能であるため、上述した第２実施形態の内側コイル体と比較して自由度があって柔軟性が一層高められている。このような内側コイル２４０体は、所定方向への回転操作が加えられた際にはより一層緩み易く、それに伴って外径が容易に拡げられるようになり、拡径の幅がより一層増大することとなる。
【００４０】
すなわち、仮に、外側コイル体２０が締め付けられて縮径するように内方へと変形する際には、上述した第２実施形態の内側コイル体と比較して内側コイル体２４０の外径が大幅に拡げられるようになる。その結果、双方のコイル体２０，２４０同士がより確実に干渉することにより、外側コイル体２０の内方への過剰な変形が抑制され、上述したような、隣接する素線２１（撚線２２）において一方の素線２１（撚線２２）が他方の素線２１（撚線２２）に乗り上げるといった不具合をより確実に回避することが可能となる。
【符号の説明】
【００４１】
１０，１００，２００・・・ガイドワイヤ
１２・・・シャフト
２０・・・外側コイル体
２１・・・外側コイル体を形成する素線
２２・・・外側コイル体を形成する撚線
４０，１４０，２４０・・・内側コイル体
４１，１４１，２４１・・・内側コイル体を形成する素線
２４２・・・内側コイル体を形成する撚線
【図１】
2015208362.tif 000003
【図２】
2015208362.tif 000004
【図３】
2015208362.tif 000005
【図４】
2015208362.tif 000006
【図５】
2015208362.tif 000007
【図６】
2015208362.tif 000008
【図７】
2015208362.tif 000009
【図８】
2015208362.tif 000010